【事件の表示】
　特願２０１３−２１６９５１「水溶液系二次電池」拒絶査定不服審判事件〔平成２７年４月２３日出願公開、特開２０１５−７９６８５〕について、次のとおり審決する。
【結　論】
　本件審判の請求は、成り立たない。
【理　由】
１　手続の経緯
　本願は、平成２５年１０月１８日の出願であって、平成２９年４月２４日付けで拒絶の理由が通知され、同年６月１３日に意見書が提出されるとともに手続補正がなされたものの、同年８月１７日付けで拒絶査定がなされた。
　本件は、これを不服として、同年１０月１９日に請求された拒絶査定不服審判であって、請求と同時に手続補正がなされたものである。
２　本願発明について
（１）本願発明
　平成２９年１０月１９日付けの手続補正書による補正（以下、「本件補正」という。）は、適法になされたものであるから、本件出願の請求項１に係る発明（以下「本願発明」という。）は、平成２９年１０月１９日付けの手続補正書により補正された特許請求の範囲の請求項１に記載されている事項により特定される次のとおりのものである。
「【請求項１】
　水溶液系二次電池であって、
　ナトリウムを含み、更にＭｎ及びＺｎのうち１以上を含むプルシアンブルー類似体を主成分としナトリウムを吸蔵放出する正極活物質を含む正極と、
　ナトリウムを吸蔵放出可能な負極活物質を含む負極と、
　前記正極と前記負極との間に介在しナトリウムを溶解した水溶液である電解液と、を備え、
　前記正極活物質は、基本組成式ＮａxＫyＭzＦｅ（ＣＮ）6・ａＨ2Ｏ（但し、ＭはＭｎ及びＺｎのうち１以上、０．５＜ｘ≦２．０、０≦ｙ≦０．５０、１．０≦ｚ≦２．０、ａは任意の数）で表されるプルシアンブルー類似体である、
　水溶液系二次電池。」
　なお、本件補正により請求項２は補正されているが、請求項１は補正がなされておらず、本願発明は、拒絶査定時の請求項１に係る発明と同じである。
３　先願明細書等の記載、及び、先願発明
（１）先願明細書等の記載
　これに対して、原査定の拒絶の理由に引用された、本願の出願日前の他の出願であって，その出願後に出願公開された特願２０１２−１９９５７７号（特開２０１４−５６６６３号公報参照）の願書に最初に添付した明細書、特許請求の範囲又は図面（以下、「先願明細書等」という。）には、次の記載がある。（下線は、当審で付した。）
ア　特許請求の範囲の記載
「【請求項１】
　ナトリウムイオンの挿入及び脱離が可能な物質を含む正極、金属ナトリウム、ナトリウム含有物質もしくはナトリウムイオンの挿入及び脱離が可能な物質を含む負極、及び、ナトリウムイオン導電性を有する電解質を含むナトリウム二次電池であり、前記正極のナトリウムイオンの挿入及び脱離が可能な物質が、Ｍ３［Ｆｅ（ＣＮ）６］２（式中、Ｍは、Ｖ、Ｍｎ、Ｃｏ、Ｎｉ又はＣｕから選ばれる少なくとも一つの金属である。）を含むことを特徴とするナトリウム二次電池。
【請求項２】
　
ナトリウムイオンの挿入及び脱離が可能な物質を含む正極、金属ナトリウム、ナトリウム含有物質もしくはナトリウムイオンの挿入及び脱離が可能な物質を含む負極、及び、ナトリウムイオン導電性を有する電解質を含むナトリウム二次電池であり、前記正極のナトリウムイオンの挿入及び脱離が可能な物質が、Ｎａ
ｘ
Ｍ
３
［Ｆｅ（ＣＮ）
６
］
２
（式中、０＜ｘ≦３．０であり、Ｍは、Ｖ、Ｍｎ、Ｃｏ、Ｎｉ又はＣｕから選ばれる少なくとも一つの金属である。）を含
「【請求項４】
　
前記電解質は、ナトリウムイオンを含む水系電解液である
ナトリウム二次電池
イ　発明の詳細な説明の記載
「【技術分野】
【０００１】
　本発明は、ナトリウム二次電池に関する。特に本発明は、ナトリウム二次電池の正極材料にＭ３［Ｆｅ（ＣＮ）６］２（式中、Ｍは、Ｖ、Ｍｎ、Ｃｏ、Ｎｉ又はＣｕから選ばれる少なくとも一つの金属である。）又はＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）を用いた、コスト性及びサイクル特性に優れたナトリウム二次電池に関する。」
「【０００９】
　さらに、本発明では、前記正極の正極材料は、ＮａｘＭ３［Ｆｅ（ＣＮ）６］２（０＜ｘ≦３．０、Ｍは、Ｖ、Ｍｎ、Ｃｏ、Ｎｉ又はＣｕから選ばれる少なくとも一つの金属である。）であってもよい。」
「【００１６】
　本発明では、正極は、Ｍ３［Ｆｅ（ＣＮ）６］２（式中、Ｍは、Ｖ、Ｍｎ、Ｃｏ、Ｎｉ又はＣｕから選ばれる少なくとも一つの金属である。）、又はＮａｘＭ３［Ｆｅ（ＣＮ）６］２（式中、０＜ｘ≦３．０、Ｍは、Ｖ、Ｍｎ、Ｃｏ、Ｎｉ又はＣｕから選ばれる少なくとも一つの金属である。）（以下単に、正極材料とも称する。）を含むものである。」
「【００１９】
　本発明で使用できるＮａｘＭ３［Ｆｅ（ＣＮ）６］２（０＜ｘ≦３．０；Ｍ＝Ｖ、Ｍｎ、Ｃｏ、Ｎｉ、Ｃｕ）は、例えば以下の手順で得ることができる。
【００２０】
　市販の試薬である
フェリシアン化カリウムＫ
３
［Ｆｅ（ＣＮ）
６
］粉末、ＭＣｌ
２
、及び塩化ナトリウムＮａＣｌを、別々に蒸留水などの溶媒に溶解
【００２１】
　本発明のナトリウム二次電池の正極は、上記正極材料と
カーボン粉末のようなカーボン材料
【００２２】
  上述の正極は、例えば以下のような手段により調製することができるが、本発明はこれらに限定されない。
【００２３】
　まず、カーボン粉末（例えば
アセチレンブラック粉末
ポリテトラフルオロエチレン（ＰＴＦＥ）
結着剤粉末
【００２４】
　あるいは、前述のカーボン粉末、結着剤粉末及びＭ３［Ｆｅ（ＣＮ）６］２又はＮａｘＭ３［Ｆｅ（ＣＮ）６］２の混合物を有機溶剤（例えばＮ−メチル−２−ピロリドン（ＮＭＰ））等の溶媒中に分散してスラリー状にした後、例えば銅箔のような金属箔上に塗布し、乾燥することにより、正極を調製できる。
【００２５】
　本発明の正極は、ナトリウムイオンを含む有機電解液及びナトリウムイオンを含む水系電解液の両電解液を電解質溶液として用いることができる。また、ナトリウムイオンを含む固体電解質やポリマー電解質などの固体状の電解質も使用することができる。」
「【００３３】
　さらに図１には明記していないが、正極、負極、電解質、セパレータ等を被う電池ケース等を含むことができる。本発明では、Ｍ３［Ｆｅ（ＣＮ）６］２（式中、Ｍは、Ｖ、Ｍｎ、Ｃｏ、Ｎｉ又はＣｕから選ばれる少なくとも一つの金属である。）、又はＮａｘＭ３［Ｆｅ（ＣＮ）６］２（式中、０＜ｘ≦３．０、Ｍは、Ｖ、Ｍｎ、Ｃｏ、Ｎｉ又はＣｕから選ばれる少なくとも一つの金属である。）を正極の材料として用いることが特に好ましい。」
「【００４５】
（実施例１〜５）
（ｉ）ナトリウム二次電池の作製
　ナトリウム二次電池は、以下の手順で作製した。
【００４６】
　Ｍ３［Ｆｅ（ＣＮ）６］２（Ｍ＝Ｖ、Ｍｎ、Ｃｏ、Ｎｉ又はＣｕ）粉末、
アセチレンブラック粉末
ポリテトラフルオロエチレン（ＰＴＦＥ）粉末
【００４７】
　ナトリウム二次電池は、図２に示すような２３２０コイン型のものを製造した。正極は、上記のペレット電極を正極ケース４にセットし、チタンメッシュ（ニラコ製）（図示せず）で覆い、その周縁部をスポット溶接により固定した。負極は、負極ケース６にチタンメッシュ（ニラコ製）（図示せず）をスポット溶接で固定し、その上にナトリウムシートを圧着することにより固定して調製した。次に、ペレットを固定した正極ケースに、セパレータ２をセットし、さらにセパレータ２に電解液を注入し、ナトリウムシートを固定した負極ケースを被せ、コインセルかしめ機で正極ケース４及び負極ケース６をかしめることにより、ポリプロピレン製ガスケット５を含むコインセルを作製した。なお、ナトリウム二次電池の作製は、露点が−８５℃以下のアルゴン雰囲気のグローブボックス中で行った。」
「【００５２】
（実施例６〜１０）
　
ナトリウム二次電池の作製及び充放電特性の測定は、実施例１と同様の方法で行った。
【００５３】
　表２に、放電容量、放電電圧、２０サイクル目及び５０サイクル目の放電容量維持率を示す。表より、Ｖ系が最も放電電圧が高く、他の実施例の場合でも３Ｖ級の高電圧を示すことがわかる。放電容量は、Ｃｕ系（実施例１０）が最も大きな値を示した。また、サイクル性能は、いずれの実施例でもほぼ同様の傾向を示し、１サイクル当たり約０．５％程度の容量減少しか見られず、安定したサイクル特性を有していることが分かる。このような傾向は、実施例１〜５と同様であった。また、実施例６〜１０における放電容量は、実施例１〜５よりも１０％程度低い傾向を示す。これは、本実施例では、初期に構造中にＮａイオンを含有し、試料の重量が増加したためであると考えられる。
【００５４】
　また、ＮａｘＭ３［Ｆｅ（ＣＮ）６］２においてｘ＝１．０及び２．０の試料を合成し、同様の評価を行った。その結果、実施例６〜１０とほぼ同様の結果が得られた。
【００５５】
　また、ＮａｘＭ３［Ｆｅ（ＣＮ）６］２においてｘ＝３．１の化合物を調製し、正極材料として使用した場合は、放電電圧や放電容量は、低下した。これは、不純物相が生成されたことに起因すると考えられる。これは、本発明で規定したＮａ含有量の範囲が妥当であることを示している。
【００５６】
　上記のように、本実施例によるナトリウム二次電池は、高電圧でサイクル特性に優れた性能を有していることが確認された。
【００５７】
【表２】
　　　　　　　　　　　　　　　　　　　　　　　　　」
（２）先願発明
ア　上記（１）アの請求項２を引用する請求項４に注目すると、先願明細書等には以下の発明（以下、「先願発明」という。）が記載されていると認められる。
「ナトリウムイオンの挿入及び脱離が可能な物質を含む正極、金属ナトリウム、ナトリウム含有物質もしくはナトリウムイオンの挿入及び脱離が可能な物質を含む負極、及び、ナトリウムイオン導電性を有する電解質を含むナトリウム二次電池であり、
　前記正極のナトリウムイオンの挿入及び脱離が可能な物質が、ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）を含み、
　前記電解質は、ナトリウムイオンを含む水系電解液である、
ナトリウム二次電池。」
４　対比・判断
（１）本願発明と先願発明との対比
ア　先願発明の「電解質は、ナトリウムイオンを含む水系電解液である」から、先願発明の「ナトリウム二次電池」は、本願発明の「水溶液系二次電池」に相当する。
イ　先願発明の「正極のナトリウムイオンの挿入及び脱離が可能な物質」は、技術常識に照らせば、本願発明の「ナトリウムを吸蔵放出する正極活物質」に相当する。
ウ　また、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」は、ナトリウムを含むものであるから、次の参考文献に照らせば、本願発明の「ナトリウムを含」む「プルシアンブルー類似体」に相当するものといえる。
＜参考文献＞吉野和典,プルシアンブルー；新しい応用とそのナノ粒子,THE CHEMICAL TIMES 2013 No.3(通巻229号)2013年7月発行,第23〜27頁)
（参考文献の摘記）
「2.1　プルシアンブルーとは
　プルシアンブルーは濃青色の錯体である。ヘキサシアニド鉄（II）酸鉄（III）、フェロシアン化鉄（III）、フェロシアン化第二鉄、紺青などはプルシアンブルーの別名である。一般的に化学式はＦｅ4［Ｆｅ（ＣＮ）6］3で示されるが、実際には次の二種類の化合物の総称である。一つは、「不溶性」タイプと呼ばれ、Ｆｅ3+4［Ｆｅ2+（ＣＮ）6］3・ｘＨ2Ｏ（ｘ＝１４〜１６）で示される。このタイプは凝集した粒子であり水や溶媒中で沈降する。もう一つは、「可溶性」タイプで、Ｍ+Ｆｅ3+［Ｆｅ2+（ＣＮ）6］3・ｙＨ2Ｏ（Ｍ+：Ｋ+，ＮＨ4+、ｙ＝１〜５）で示される。」（第23頁左欄最後から2行〜右欄8行）
「プルシアンブルーのＦｅ3+を他の金属で置換すると、同様の結晶構造を持つプルシアンブルー類似体（Prussian Blue analogue(s)）が得られる。」（第24頁左欄4〜6行）
エ　上記３（１）イの【００４６】の「アセチレンブラック粉末」及び「ポリテトラフルオロエチレン（ＰＴＦＥ）粉末」は、上記３（１）イの【００２１】及び【００２３】並びに技術常識からみて、「正極のナトリウムイオンの挿入及び脱離が可能な物質」とはいえない。
　この点を考慮しつつ、上記３（１）イの【００４６】〜【００４７】の実施例１を参酌すると、上記３（１）イの【００５２】〜【００５７】の実施例６〜１０では、「正極のナトリウムイオンの挿入及び脱離が可能な物質」として、それぞれＮａ３Ｖ３［Ｆｅ（ＣＮ）６］２、Ｎａ３Ｍｎ３［Ｆｅ（ＣＮ）６］２、Ｎａ３Ｃｏ３［Ｆｅ（ＣＮ）６］２、Ｎａ３Ｎｉ３［Ｆｅ（ＣＮ）６］２、Ｎａ３Ｃｕ３［Ｆｅ（ＣＮ）６］２（いずれも先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」に相当。）のみが含まれているといえる。
　そうすると、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」は、「正極のナトリウムイオンの挿入及び脱離が可能な物質」の主成分であるといえる。
オ　また、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」は、Ｍについて、Ｖ、Ｍｎ、Ｃｏ、Ｎｉ、Ｃｕの５つの態様を包含するものであるのに対し、本願発明の「基本組成式ＮａxＫyＭzＦｅ（ＣＮ）6・ａＨ2Ｏ（但し、ＭはＭｎ及びＺｎのうち１以上、０．５＜ｘ≦２．０、０≦ｙ≦０．５０、１．０≦ｚ≦２．０、ａは任意の数）」は、ＭについてＭｎ及びＺｎの２つの態様を包含するものであるから、両者は、ＭがＭｎである部分において重複している。
カ　さらに、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」は、先願明細書の【００１９】〜【００２０】によると、原料である「フェリシアン化カリウムＫ３［Ｆｅ（ＣＮ）６］粉末」を蒸留水に溶解することにより得られるものであることが記載されており、Ｋカチオンが含まれないか、ごく微量含まれるものと認められるのに対し、本願発明の「基本組成式ＮａxＫyＭzＦｅ（ＣＮ）6・ａＨ2Ｏ（但し、ＭはＭｎ及びＺｎのうち１以上、０．５＜ｘ≦２．０、０≦ｙ≦０．５０、１．０≦ｚ≦２．０、ａは任意の数）」は、カリウムの組成比であるｙが、０〜０．５０であって、カリウムについては、含まれないか、ごく微量含まれる場合を含んでいる。
　そうすると、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」と、本願発明の「基本組成式ＮａxＫyＭzＦｅ（ＣＮ）6・ａＨ2Ｏ（但し、ＭはＭｎ及びＺｎのうち１以上、０．５＜ｘ≦２．０、０≦ｙ≦０．５０、１．０≦ｚ≦２．０、ａは任意の数）」とは、カリウムの含有量が０ないしごく微量である点で重複している。
キ　また、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」は、水和物であることが特定されていないが、本願発明の「基本組成式ＮａxＫyＭzＦｅ（ＣＮ）6・ａＨ2Ｏ」は、ａが任意の数であってゼロも含み、水和物であってもなくてもよいと解されるから、この点において、両者は相違しない。
ク　さらに、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」は、「Ｎａｘ／２Ｍ３／２Ｆｅ（ＣＮ）６（式中、０＜ｘ／２≦１．５であり、Ｍは、Ｖ、Ｍｎ、Ｃｏ、Ｎｉ又はＣｕから選ばれる少なくとも一つの金属である。）」と表すことができるから、本願発明の「基本組成式ＮａxＫyＭzＦｅ（ＣＮ）6・ａＨ2Ｏ（但し、ＭはＭｎ及びＺｎのうち１以上、０．５＜ｘ≦２．０、０≦ｙ≦０．５０、１．０≦ｚ≦２．０、ａは任意の数）」とは、基本組成式ＮａxＫyＭzＦｅ（ＣＮ）6・ａＨ2Ｏにおいて、０．５＜ｘ≦１．５、ｚ＝１．５である点で重複している。
ケ　上記オ〜クによれば、先願発明の「ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）」と、本願発明の「基本組成式ＮａxＫyＭzＦｅ（ＣＮ）6・ａＨ2Ｏ（但し、ＭはＭｎ及びＺｎのうち１以上、０．５＜ｘ≦２．０、０≦ｙ≦０．５０、１．０≦ｚ≦２．０、ａは任意の数）」とは、「基本組成式ＮａxＫyＭzＦｅ（ＣＮ）6・ａＨ2Ｏ（但し、ＭはＭｎであり、０．５＜ｘ≦１．５、ｙは０ないしごく微量、ｚ＝１．５、ａは任意の数）」の部分で重複している。
コ　上記イ〜エ、ケより、先願発明の「ナトリウムイオンの挿入及び脱離が可能な物質を含む正極」「を含」み、「前記正極のナトリウムイオンの挿入及び脱離が可能な物質が、ＮａｘＭ３［Ｆｅ（ＣＮ）６］２（式中、０＜ｘ≦３．０であり、Ｍは、Ｖ、Ｍｎ、Ｃｏ、Ｎｉ又はＣｕから選ばれる少なくとも一つの金属である。）を含」むとの発明特定事項と、本願発明の「ナトリウムを含み、更にＭｎ及びＺｎのうち１以上を含むプルシアンブルー類似体を主成分としナトリウムを吸蔵放出する正極活物質を含む正極」「を備え、前記正極活物質は、基本組成式ＮａxＫyＭzＦｅ（ＣＮ）6・ａＨ2Ｏ（但し、ＭはＭｎ及びＺｎのうち１以上、０．５＜ｘ≦２．０、０≦ｙ≦０．５０、１．０≦ｚ≦２．０、ａは任意の数）で表されるプルシアンブルー類似体である」との発明特定事項とは、「ナトリウムを含み、更にＭｎを含むプルシアンブルー類似体を主成分としナトリウムを吸蔵放出する正極活物質を含む正極」「を備え、前記正極活物質は、基本組成式ＮａxＫyＭzＦｅ（ＣＮ）6・ａＨ2Ｏ（但し、ＭはＭｎであり、０．５＜ｘ≦１．５、ｙは０ないしごく微量、ｚ＝１．５、ａは任意の数）で表されるプルシアンブルー類似体である」との発明特定事項で重複している。
サ　先願発明の「金属ナトリウム、ナトリウム含有物質もしくはナトリウムイオンの挿入及び脱離が可能な物質を含む負極」「を含む」との発明特定事項は、本願発明の「ナトリウムを吸蔵放出可能な負極活物質を含む負極」「を備え」るとの発明特定事項に相当する。
シ　先願発明の「ナトリウムイオン導電性を有する電解質を含」み、「電解質は、ナトリウムイオンを含む水系電解液であ」るとの発明特定事項は、本願発明の「正極と前記負極との間に介在しナトリウムを溶解した水溶液である電解液」「を備え」るとの発明特定事項に相当する。
ス　上記ア〜シを踏まえ、本願発明と先願発明とを対比すると、先願発明は、
「水溶液系二次電池であって、
　ナトリウムを含み、更にＭｎを含むプルシアンブルー類似体を主成分としナトリウムを吸蔵放出する正極活物質を含む正極と、
　ナトリウムを吸蔵放出可能な負極活物質を含む負極と、
　前記正極と前記負極との間に介在しナトリウムを溶解した水溶液である電解液と、を備え、
　前記正極活物質は、基本組成式ＮａxＫyＭzＦｅ（ＣＮ）6・ａＨ2Ｏ（但し、ＭはＭｎであり、０．５＜ｘ≦１．５、ｙは０ないしごく微量、１．ｚ＝１．５、ａは任意の数）で表されるプルシアンブルー類似体である、
　水溶液系二次電池。」の部分で本願発明と重複している。
セ　よって、本願発明は、上記重複する部分において、先願発明と同一である。
５　結言
　以上のとおり、本願発明は、先願明細書等に記載された発明と同一であり、しかも、本願発明の発明者が上記先願明細書等に記載された発明の発明者と同一であるとも、また、本願の出願時に、その出願人が上記他の出願の出願人と同一であるとも認められないので、本願発明は、特許法２９条の２の規定により特許を受けることができない。
　したがって、その余の請求項に係る発明について論及するまでもなく、本願は拒絶すべきものである。
　よって、結論のとおり審決する。